(57)【要約】【課題】各光源間の蒼然地帯を消去し、液晶モジュールに明、暗区が形成されるのを防止する調光器の構造を提供する。【解決手段】調光器の構造は、内から外に向けて順に反射カバー、複数の光源、拡散板、複数の光学膜片及び液晶面板が設置される。そのうち光源は直線状、もしくはＵ型またはその他連続湾曲状のライト管で、適する間隔で反射カバーと下拡散片の間に設置される。そのバックライトモジュールには、各光源の間に少なくとも一個の調光器が設置され、光源両側の低速発射光線は調光器を通り適する屈折及び反射作用によって拡散板へ均一に放射される。【選択図】図２
0003105002.tif 000002
【実用新案登録請求の範囲】
【請求項１】
そのバックライトモジュールには、内から外に向けて順に反射カバー、複数の光源、拡散板、複数の光学膜片及び液晶面板が設置され、そのうち光源は直線状、もしくはＵ型またはその他連続湾曲状のライト管で、適する間隔で反射カバーと下拡散片の間に設置される調光器の構造において、
そのバックライトモジュールには、各光源の間に少なくとも一個の調光器が設置され、光源両側の低速発射光線は調光器を通り適する屈折及び反射作用によって拡散板へ均一に放射されることを特徴とする調光器の構造。
【請求項２】
前記調光器は、実心もしくは空心の細長状構造で、粘着方式によって反射カバーに固定することを特徴とする請求項１記載の調光器の構造。
【請求項３】
前記調光器は、その上に反射カバー、もしくは反射カバー下部構造と相互に嵌合する嵌合ユニットが設置されることを特徴とする請求項１記載の調光器の構造。
【請求項４】
前記嵌合ユニットは、調光器が細長形状の構造であり、且つ反射カバーの接合面上に定位ピンを設置するため、その反射カバーもしくは反射カバー下部構造には相互に対応する定位孔が穿設され、調光器と反射カバーを相互に嵌合することを特徴とする請求項５記載の調光器の構造。
【請求項５】
前記嵌合ユニットは、調光器に依るため、それと反射カバーの接合面上に固定孔を穿設し、その反射カバーもしくは反射カバー下部構造が相対し、ネジを挿し込む定位孔を設置し、ネジで調光器と反射カバーが相互に固定されることを特徴とする請求項１記載の調光器の構造。
【請求項６】
前記調光器は、少なくとも表面上にＶ溝、Ｕ溝、Ｃ溝が一個以上、直線または曲線もしくは両者を合わせた溝槽の凹凸刻紋を設置することを特徴とする請求項１記載の調光器の構造。
【請求項７】
前記調光器は、少なくとも一個表面上に異なる湾曲率で設置することを特徴とする請求項１記載の調光器の構造。
【請求項８】
前記調光器は、透明細長構造体もしくは白色細長構造体または白霧細長構造体
であることを特徴とする請求項１記載の調光器の構造。
【請求項９】
前記調光器は、少なくとも一個を面上に霧化、インク印刷処理を施すか、または各式の凹凸点(例として円形、矩形、菱形、多角形点等)を増設することを特徴とする請求項１記載の調光器の構造。
【請求項１０】
前記光学膜片は、下拡散片、プリズム片、反射式偏光片から構成されることを特徴とする請求項１記載の調光器の構造。
【請求項１１】
前記光学膜片は、一〜三枚の拡散片、０〜二枚の増光片、０〜一枚の反射式偏光片から構成されることを特徴とする請求項１記載の調光器の構造。
【請求項１２】
前記調光器は、例としてＰＣ(ポリカーボネート)もしくはＰＭＭＡ(ポリメタクリル酸メチルエステル)もしくはＰＥＴ((ポリパラベンゼンカーボン酸エチルダイエステル)等で作られたプラスチック材で、透明または白色の細長状構造体のあることを特徴とする請求項１記載の調光器の構造。
【請求項１３】
前記調光器は、ＰＣ(ポリカーボネート)もしくはＰＭＭＡ(ポリメタクリル酸メチルエステル)に拡散剤を加えて精製した透明プラスチック材で、白霧状の細長構造体であることを特徴とする請求項１記載の調光器の構造。
【考案の詳細な説明】
【技術分野】
【０００１】
本考案は、調光器の構造に関するもので、明、暗区を形成しない調光器で、より効果的に光源の光線を分配するものである。
【背景技術】
【０００２】
図１Ａに示すのは、液晶モジュールの公知バックライトモジュール構造断面図である。バックライト全体の構造は内から外に向かって順に反射カバー１０、複数の光源２０、拡散板３０、下拡散片４０、プリズム片５０、反射式偏光片もしくは上拡散片６０及び液晶面板７０が設置される。そのうち、光源２０は直線状もしくはＵ型もしくはその他連続湾曲形状のライト管で、適する間隔で反射カバー１０と拡散板３０の間に設置される。その液晶面板の表示効果は各光源２０から放出される光線によって構成される。市場でよく見られる拡散板３０と液晶面板７０間の複数の光学膜片は、１〜３枚の拡散片、０〜二枚の反射式偏光片等が相互に組み合わさって構成され、その作用は、通過した光線を拡散し、各光源20の正面に対する間隔位置に光線が当たらず、液晶モジュールに明、暗区が形成されるのを改善する。
【０００３】
しかし、拡散板３０は通過する光線を均一に拡散するためだけなので、液晶面板に起きる明、暗区現象を改善する効果には限界がある。このため、あるバックライトモジュールは、光源２０と拡散板３０の間隔を故意に長くして各光源２０が拡散板３０に進入する範囲を広げ、蒼然地帯を小さくしている。しかし、この構造は、効果に限界がある上、バックライトモジュールの厚みを増大させるため、液晶面板の軽量薄型の要求に応えられない。
【０００４】
また、別のバックライトモジュールは、拡散板の表面に消光処理を施しており、拡散板に二酸化ケイ素(ＳｉＯ２)もしくは二酸化メタン(ＴｉＯ２)を含んだインクでプリントし、拡散板の表面に消光(散光)機能を形成する。これによって、蒼然地帯を狭める効果を具える。しかしながら、この方法は拡散板の製造コストが上昇するだけでなく、製造工程も煩雑になり、更に光線が拡散板表面に照射されたときに消光作用があるだけである。
【０００５】
市場にはまた別の図１Ｂに示すバックライトモジュールが出ている。そのうち、反射カバー１０上に一体成型の調光器１２が複数設置され、この調光器１２自身が高反射材表面で、光源の光線を反射して各光源間の蒼然地帯を消去する。しかし、この調光器１２は、反射カバー１０と一体成型されているため、反射式の調光をするだけで、屈折式もしくは乱反射式調光機能は具えていない。
【考案の開示】
【考案が解決しようとする課題】
【０００６】
解決しようとする問題点は、各光源の正面に対する間隔位置に光線が当たらず、液晶モジュールに明、暗区が形成され、また液晶面板の軽量薄型の要求に応えられない点である。
【課題を解決するための手段】
【０００７】
本考案は、内から外に向けて順に反射カバー、複数の光源、拡散板、複数の光学膜片及び液晶面板が設置される。そのうち光源は直線状、もしくはＵ型またはその他連続湾曲状のライト管で、適する間隔で反射カバーと下拡散片の間に設置される。そのバックライトモジュールには、各光源の間に少なくとも一個の調光器が設置され、光源両側の低速発射光線は調光器を通り、適する屈折及び反射作用によって拡散板へ均一に放射されることを最も主要な特徴とする。
【考案の効果】
【０００８】
本考案の調光器の構造は、明、暗区を形成しない調光器で、より効果的に光源を分配するという利点がある。
【考案を実施するための最良の形態】
【０００９】
【実施例１】
【００１０】
図２は、バックライトモジュール全体の基本構造を示したもので、内から外に向けて順に反射カバー１０、複数の光源２０、拡散板３０、下拡散片４０、プリズム片５０、反射式偏光片もしくは上拡散片６０及び液晶面板７０が設置される。そのうち、光源２０は直線状もしくはＵ型もしくはその他連続湾曲形状のライト管で、適する間隔で反射カバー１０と拡散板３０の間に設置される。その液晶面板の表示効果は各光源２０から放出される光線によって構成される。
【００１１】
バックライトモジュールには別に各光源２０の間隔位置に少なくとも１個の実心または空心の調光器８０が設置される。図２に示す実施例の調光器８０は、細長形状の構造体で、粘着方式で反射カバー１０に固定される。
【実施例２】
【００１２】
図３に示すとおり、調光器８０上に反射カバー１０、もしくは反射カバー１０下部部晶と相互に嵌合する嵌合ユニット１００が設置され、調光器８０を反射カバー１０の適する位置にしっかりと定置させる。本考案実施例の嵌合ユニット１００は、調光器８０と反射カバー１０の接合面上に定位ピン８１が設置され、反射カバー１０には定位孔１１が対応して設置される。また調光器８０と反射カバー１０は、相互に固定、もしくは嵌合部品が増設され、粘着または嵌合またはネジ等で固定される。
【実施例３】
【００１３】
図４に示すとおり、調光器８０と反射カバー１０の接合面上に固定孔８２を穿設し、反射カバー１０にはネジ９０を挿し込む定位孔１１を対応して設置し、ネジ９０が調光器８０と反射カバー１０または反射カバー１０下部構造を固定する。
【００１４】
本考案の調光器８０は、各光源２０の間隔位置に設置され、光源２０両側の低速発射する光線によって、それが調光器８０を通過して適する屈折及び反射を生み、拡散板３０に向かって均一に放出する。それによって、光源間に形成される蒼然地帯を消去し、有効に光源の光線を配分する。
【００１５】
この他、調光器８０はプラスチック材を使用することができ、例としてＰＣ(ポリカーボネート)、またはＰＭＭＡ(ポリメタクリル酸メチルェステル)、またはＰＥＴ((ポリパラベンゼンカーボン酸エチルダイエステル)等で作られた透明または白色の細長状構造体を含む。または透明プラスチック材である、例としてＰＣ(ポリカーボネート)もしくはＰＭＭＡ(ポリメタクリル酸メチルェステル)に拡散剤(例として二酸化ケイ素(ＳｉＯ２)もしくは二酸化メタン(ＴｉＯ２)等)を入れて精製した白色霧状細長構造体でもよい。効果の異なる調光器８０を屈折させることによって、バックライトモジュールの実際の光源２０間に、適する光効果の調光器８０を選択する。
【実施例４】
【００１６】
図５に示すとおり、更に調光器８０に少なくとも一つの表面上(本実施例では調光器８０の下拡散片４０向きの表面上)に凹凸刻紋８３を設置する。この刻紋はＶ溝、Ｕ溝、Ｃ溝が一個以上直線もしくは曲線もしくは両者を合わせた溝槽である。
【実施例５】
【００１７】
図６に示すとおり、異なる曲面率の曲面８４を設置するもので、この調光器８０は異なる曲面もしくは平面から構成される。凹凸刻紋８３または曲面８４には集光効果があり、光源２０を異なる大きさにしたり、異なる間隔にしたり、異なる形状及び設置距離に変化を与えたりする。
【実施例６】
【００１８】
図７に示すとおり、光源２０角度が異なることによって、調光器８０の形状を図８Ａ,Ｂに示すとおりに調整する。図８Ａ,Ｂは調光器８０上に連続して異なる外観もしくは大きさにしており、高原２０の光線を調光器８０から拡散板３０の凹凸刻紋８３または曲面８４に向かって放出し、公知の問題である明、暗区の形成を防止する。当然調光器８０の少なくとも一面に霧化、インク印刷処理もしくは凹凸点(例として円形、矩形、ひし形、多角形点等)付設しても効果は同じである。
【００１９】
上述のとおり、本考案は液晶モジュールに関する良好な調光器の構造を示したもので、本考案の実施例は一実施例に過ぎず、本考案の構造、装置、特徴等が近似もしくは雷同しているものは、すべて本考案の範囲とする。
【図面の簡単な説明】
【００２０】
【図１Ａ】公知のバックライトモジュールの構造断面図である。
【図１Ｂ】公知のバックライトモジュールの構造断面図である。
【図２】本考案第一実施例のバックライトモジュール構造断面図である。
【図３】本考案第二実施例のバックライトモジュール構造断面図である。
【図４】本考案第三実施例のバックライトモジュール構造断面図である。
【図５】本考案第四実施例のバックライトモジュール構造断面図である。
【図６】本考案第五実施例のバックライトモジュール構造断面図である。
【図７】本考案第六実施例のバックライトモジュール構造断面図である。
【図８Ａ】本考案第七実施例のバックライトモジュール構造断面図である。
【図８Ｂ】本考案第七実施例のバックライトモジュール構造断面図である。
【符号の説明】
【００２１】
１０  反射カバー
１１  定位孔
１２  調光器
２０  光源
３０  拡散板
４０  下拡散片
５０  プリズム片
６０  反射式偏光片
７０  液晶面板
８０  調光器
８１  定位ピン
８２  固定孔
８３  凹凸刻紋
８４  曲面
９０  ネジ
１００  嵌合ユニット
【図１Ａ】
0003105002.tif 000003
【図１Ｂ】
0003105002.tif 000004
【図２】
0003105002.tif 000005
【図３】
0003105002.tif 000006
【図４】
0003105002.tif 000007
【図５】
0003105002.tif 000008
【図６】
0003105002.tif 000009
【図７】
0003105002.tif 000010
【図８Ａ】
0003105002.tif 000011
【図８Ｂ】
0003105002.tif 000012
【手続補正書】
【提出日】平成16年6月22日(2004.6.22)
【手続補正１】
【補正対象書類名】実用新案登録請求の範囲
【補正対象項目名】全文
【補正方法】変更
【補正の内容】
【実用新案登録請求の範囲】
【請求項１】
そのバックライトモジュールには、内から外に向けて順に反射カバー、複数の光源、拡散板、複数の光学膜片及び液晶面板が設置され、そのうち光源は直線状、もしくはＵ型またはその他連続湾曲状のライト管で、適する間隔で反射カバーと下拡散片の間に設置される調光器の構造において、
そのバックライトモジュールには、各光源の間に少なくとも一個の調光器が設置され、光源両側の低速発射光線は調光器を通り適する屈折及び反射作用によって拡散板へ均一に放射されることを特徴とする調光器の構造。
【請求項２】
前記調光器は、実心もしくは空心の細長状構造で、粘着方式によって反射カバーに固定することを特徴とする請求項１記載の調光器の構造。
【請求項３】
前記調光器は、その上に反射カバー、もしくは反射カバー下部構造と相互に嵌合する嵌合ユニットが設置されることを特徴とする請求項１記載の調光器の構造。
【請求項４】
前記嵌合ユニットは、調光器が細長形状の構造であり、且つ反射カバーの接合面上に定位ピンを設置するため、その反射カバーもしくは反射カバー下部構造には相互に対応する定位孔が穿設され、調光器と反射カバーを相互に嵌合することを特徴とする請求項３記載の調光器の構造。
【請求項５】
前記嵌合ユニットは、調光器に依るため、それと反射カバーの接合面上に固定孔を穿設し、その反射カバーもしくは反射カバー下部構造が相対し、ネジを挿し込む定位孔を設置し、ネジで調光器と反射カバーが相互に固定されることを特徴とする請求項３記載の調光器の構造。
【請求項６】
前記調光器は、少なくとも表面上にＶ溝、Ｕ溝、Ｃ溝が一個以上、直線または曲線もしくは両者を合わせた溝槽の凹凸刻紋を設置することを特徴とする請求項１記載の調光器の構造。
【請求項７】
前記調光器は、少なくとも一個表面上に異なる湾曲率で設置することを特徴とする請求項１記載の調光器の構造。
【請求項８】
前記調光器は、透明細長構造体もしくは白色細長構造体または白霧細長構造体
であることを特徴とする請求項１記載の調光器の構造。
【請求項９】
前記調光器は、少なくとも一個を面上に霧化、インク印刷処理を施すか、または各式の凹凸点(例として円形、矩形、菱形、多角形点等)を増設することを特徴とする請求項１記載の調光器の構造。
【請求項１０】
前記光学膜片は、下拡散片、プリズム片、反射式偏光片から構成されることを特徴とする請求項１記載の調光器の構造。
【請求項１１】
前記光学膜片は、一〜三枚の拡散片、０〜二枚の増光片、０〜一枚の反射式偏光片から構成されることを特徴とする請求項１記載の調光器の構造。
【請求項１２】
前記調光器は、ＰＣ(ポリカーボネート)もしくはＰＭＭＡ(ポリメタクリル酸メチルエステル)もしくはＰＥＴ((ポリパラベンゼンカーボン酸エチルダイエステル)で作られたプラスチック材で、透明または白色の細長状構造体のあることを特徴とする請求項１記載の調光器の構造。
【請求項１３】
前記調光器は、ＰＣ(ポリカーボネート)もしくはＰＭＭＡ(ポリメタクリル酸メチルエステル)に拡散剤を加えて精製した透明プラスチック材で、白霧状の細長構造体であることを特徴とする請求項１記載の調光器の構造。